【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
外部装置と通信する通信部を有する撮像装置であって、
前記外部装置に転送する画像を指定するための画像指定手段と、
前記画像指定手段によって指定された画像数が所定数以上の場合、前記画像指定手段により指定された画像を、前記所定数に基づき複数のリストデータに分割して前記外部装置に通知する通知手段と、
前記分割したリストデータに応じて前記外部装置から要求される画像の画像データを、複数の画像データを記憶している記憶手段から読み出して前記外部装置に送信する送信手段と、
を有することを特徴とする撮像装置。
【請求項２】
前記画像指定手段は、
前記記憶手段に記憶されている複数の画像を表示する表示手段と、
前記表示手段に表示された画像を基に、前記外部装置に転送する画像を選択させるための操作手段とを有することを特徴とする請求項１に記載の撮像装置。
【請求項３】
撮像装置と接続され、前記撮像装置から送信される画像データを受信して処理する情報処理装置であって、
前記撮像装置において、前記撮像装置から当該情報処理装置に転送するように指定された画像に関するリストデータを受信する受信手段と、
前記リストデータに含まれる画像の画像データを前記撮像装置に要求し、当該要求に応答して前記撮像装置から送信される画像データを受信する画像受信手段と、
前記画像受信手段による画像データを受信する度に、前記リストデータに含まれる画像の画像データの転送に係る進捗情報を前記撮像装置に送信する進捗送信手段と、
を備えることを特徴とする情報処理装置。
【請求項４】
前記リストデータは所定数の画像に関する情報を含み、前記撮像装置で転送するように指定された画像の総数が当該所定数以上の場合には、前記進捗送信手段は、前記画像の総数に対する画像データの転送に係る進捗情報を送信することを特徴とする請求項３記載の情報処理装置。
【請求項５】
撮像装置と情報処理装置とを接続し、前記撮像装置から前記情報処理装置に画像データを送信する撮像システムであって、
前記情報処理装置に転送する画像を指定するための画像指定手段と、
前記画像指定手段によって指定された画像数が所定数以上の場合、前記画像指定手段により指定された画像を、前記所定数に基づき複数のリストデータに分割して前記情報処理装置に通知する通知手段と、
前記分割したリストデータに応じて前記外部装置から要求される画像の画像データを、複数の画像データを記憶している記憶手段から読み出して前記情報処理装置に送信する送信手段と、
前記リストデータに含まれる画像の画像データを前記撮像装置に要求し、当該要求に応答して前記撮像装置から送信される画像データを受信する画像受信手段と、
前記画像受信手段による画像データを受信する度に、前記リストデータに含まれる画像の画像データの転送に係る進捗情報を前記撮像装置に送信する進捗送信手段と、
を有することを特徴とする撮像システム。
【請求項６】
前記画像指定手段は、
前記記憶手段に記憶されている複数の画像を表示する表示手段と、
前記表示手段に表示された画像を基に、前記外部装置に転送する画像を選択させるための操作手段とを有することを特徴とする請求項５に記載の撮像システム。
【請求項７】
前記リストデータは所定数の画像に関する情報を含み、前記撮像装置で転送するように指定された画像の総数が当該所定数以上の場合には、前記進捗送信手段は、前記画像の総数に対する画像データの転送に係る進捗情報を含むことを特徴とする請求項５記載の撮像システム。
【請求項８】
外部装置と通信する通信部を有する撮像装置の制御方法であって、
前記外部装置に転送する画像を指定するための画像指定工程と、
前記画像指定工程で指定された画像数が所定数以上の場合、前記画像指定工程で指定された画像を、前記所定数に基づき複数のリストデータに分割して前記外部装置に通知する通知工程と、
前記分割したリストデータに応じて前記外部装置から要求される画像の画像データを、複数の画像データを記憶しているメモリから読み出して前記外部装置に送信する送信工程と、
を有することを特徴とする撮像装置の制御方法。
【請求項９】
前記画像指定工程は、
前記メモリに記憶されている複数の画像を表示する表示工程と、
前記表示工程で表示された画像を基に、前記外部装置に転送する画像を選択させるための操作工程とを有することを特徴とする請求項８に記載の制御方法。
【請求項１０】
撮像装置と接続され、前記撮像装置から送信される画像データを受信して処理する情報処理装置の制御方法であって、
前記撮像装置において、前記撮像装置から当該情報処理装置に転送するように指定された画像に関するリストデータを受信する受信工程と、
前記リストデータに含まれる画像の画像データを前記撮像装置に要求し、当該要求に応答して前記撮像装置から送信される画像データを受信する画像受信工程と、
前記画像受信工程で画像データを受信する度に、前記リストデータに含まれる画像の画像データの転送に係る進捗情報を前記撮像装置に送信する進捗送信工程と、
を備えることを特徴とする情報処理装置の制御方法。
【請求項１１】
前記リストデータは所定数の画像に関する情報を含み、前記撮像装置で転送するように指定された画像の総数が当該所定数以上の場合には、前記進捗送信工程では、前記画像の総数に対する画像データの転送に係る進捗情報を含むことを特徴とする請求項１０記載の制御方法。
【請求項１２】
撮像装置と情報処理装置とを接続し、前記撮像装置から前記情報処理装置に画像データを送信する撮像システムの制御方法であって、
前記情報処理装置に転送する画像を指定するための画像指定工程と、
前記画像指定工程で指定された画像数が所定数以上の場合、前記画像指定工程で指定された画像を、前記所定数ごとのリストデータに分けて前記情報処理装置に通知する通知工程と、
前記リストデータに応じて前記外部装置から要求される画像の画像データを、複数の画像データを記憶しているメモリから読み出して前記情報処理装置に送信する送信工程と、
前記リストデータに含まれる画像の画像データを前記撮像装置に要求し、当該要求に応答して前記撮像装置から送信される画像データを受信する画像受信工程と、
前記画像受信工程で画像データを受信する度に、前記リストデータに含まれる画像の画像データの転送に係る進捗情報を前記撮像装置に送信する進捗送信工程と、
を有することを特徴とする撮像システムの制御方法。
【請求項１３】
前記画像指定工程では、
前記メモリに記憶されている複数の画像を表示する表示工程と、
前記表示工程で表示された画像を基に、前記外部装置に転送する画像を選択させるための操作工程とを有することを特徴とする請求項１２に記載の制御方法。
【請求項１４】
前記リストデータは所定数の画像に関する情報を含み、前記撮像装置で転送するように指定された画像の総数が当該所定数以上の場合には、前記進捗送信工程は、前記画像の総数に対する画像データの転送に係る進捗情報を送信することを特徴とする請求項１２記載の制御方法。
【請求項１５】
請求項８乃至１４のいずれか１項に記載の制御方法をコンピュータに実行させることを特徴とするプログラム。
【請求項１６】
請求項１５に記載のプログラムを記憶していることを特徴とするコンピュータにより読み取り可能な記憶媒体。
【手続補正２】
【補正対象書類名】明細書
【補正対象項目名】０００５
【補正方法】変更
【補正の内容】
【０００５】
本発明の撮像装置は以下のような構成を備える。即ち、
外部装置と通信する通信部を有する撮像装置であって、
前記外部装置に転送する画像を指定するための画像指定手段と、
前記画像指定手段によって指定された画像数が所定数以上の場合、前記画像指定手段により指定された画像を、前記所定数に基づき複数のリストデータに分割して前記外部装置に通知する通知手段と、
前記分割したリストデータに応じて前記外部装置から要求される画像の画像データを、複数の画像データを記憶している記憶手段から読み出して前記外部装置に送信する送信手段とを有することを特徴とする。
【手続補正３】
【補正対象書類名】明細書
【補正対象項目名】０００７
【補正方法】変更
【補正の内容】
【０００７】
本発明の撮像システムは以下のような構成を備える。即ち、
撮像装置と情報処理装置とを接続し、前記撮像装置から前記情報処理装置に画像データを送信する撮像システムであって、
前記情報処理装置に転送する画像を指定するための画像指定手段と、
前記画像指定手段によって指定された画像数が所定数以上の場合、前記画像指定手段により指定された画像を、前記所定数に基づき複数のリストデータに分割して前記情報処理装置に通知する通知手段と、
前記分割したリストデータに応じて前記外部装置から要求される画像の画像データを、複数の画像データを記憶している記憶手段から読み出して前記情報処理装置に送信する送信手段と、
前記リストデータに含まれる画像の画像データを前記撮像装置に要求し、当該要求に応答して前記撮像装置から送信される画像データを受信する画像受信手段と、
前記画像受信手段による画像データを受信する度に、前記リストデータに含まれる画像の画像データの転送に係る進捗情報を前記撮像装置に送信する進捗送信手段と、
を有することを特徴とする。
【手続補正４】
【補正対象書類名】明細書
【補正対象項目名】０００８
【補正方法】変更
【補正の内容】
【０００８】
本発明の撮像装置の制御方法は以下のような工程を備える。即ち、
外部装置と通信する通信部を有する撮像装置の制御方法であって、
前記外部装置に転送する画像を指定するための画像指定工程と、
前記画像指定工程で指定された画像数が所定数以上の場合、前記画像指定工程で指定された画像を、前記所定数に基づき複数のリストデータに分割して前記外部装置に通知する通知工程と、
前記分割したリストデータに応じて前記外部装置から要求される画像の画像データを、複数の画像データを記憶しているメモリから読み出して前記外部装置に送信する送信工程とを有することを特徴とする。